(57)【要約】【課題】高い吸込み性能と排気のソフト化（排気風速を和らげる）を両立させた電気掃除機を提供することを目的とする。【解決手段】電動送風機を内蔵した本体と、複数の孔を有する排気整流板１６と前記本体の外郭に設けた排気口１５とで構成され前記電動送風機の排気を排出する排気部とを備え、前記排気整流板１６を前記排気口１５内側に隣接して設けたもので、排気整流板に設けられた複数の孔に排気を通過させることによって、排気口から排出される排気風速のバラツキを抑えることができる。また、排気口全体の排気風速を均一にし、分散排気することにより排気風速の低減を図り被掃除面の埃の舞い上げを抑えることができるものである。【選択図】図４
2006247094.tif 000002
【特許請求の範囲】
【請求項１】
電動送風機を内蔵した本体と、複数の孔を有する排気整流板と前記本体の外郭に設けた排気口とで構成され前記電動送風機の排気を排出する排気部とを備え、前記排気整流板を前記排気口内側に隣接して設けた電気掃除機。
【請求項２】
排気整流板の板厚を孔径寸法よりも厚く設定する請求項１に記載の電気掃除機。
【請求項３】
間隔を空けて設けられた複数の排気整流板を備え、前記複数の排気整流板の内、その両端に位置する排気整流板の１つを排気口内側に隣接させ、排気上流側から下流側に移るに従って、前記複数の排気整流板に設けた孔の孔径を小さくすると共に、総開口面積は逆に大きくした請求項１に記載の電気掃除機。
【発明の詳細な説明】
【技術分野】
【０００１】
本発明は高い吸込み性能と排気のソフト化（排気風速を和らげる）を両立させた電気掃除機に関するものである。
【背景技術】
【０００２】
従来の電気掃除機は前方に集塵室を、後方に電動送風機を内臓した電動送風機室を配し、さらにその後方に排気口を設けている。電動送風機の前方は集塵室に連通しており、電動送風機の吸気風は集塵室を経由し、塵埃を捕集した後電動送風機を通過し、排気として排気口より大気に排出される。従来この種の排気口には、排気風速を落とすことで被掃除面の埃の舞い上げを抑える配慮がなされている。その具体的な手段としては、排気口全体を紡績布で覆っているものがある（例えば、特許文献１参照）。また、本体外郭にφ２ｍｍ程度の孔を複数開けて排気口を形成しているものもある（例えば、特許文献２参照）。
【特許文献１】特許第３３２７２９３号公報
【特許文献２】特開２００２−３１５６９７号公報
【発明の開示】
【発明が解決しようとする課題】
【０００３】
しかしながら、上記のように紡績布で排気口を覆う構成では、排気口を形成する枠部材に紡績布を溶着したり、枠部材を２部品で構成し紡績布を挟み込んで固定する必要があり、高価なものになったり、紡績布が汚れ易いという課題があった。また、本体外郭に複数の孔を開ける構成のものでは、外郭の強度を確保するために排気口部の外郭の厚みを厚くする必要があり、また排気口を形成するのに必要な外郭面積が大きくなってしまうという課題があった。
【０００４】
本発明は上記従来の課題を解決するもので、高い吸込み性能と排気のソフト化（排気風速を和らげる）を両立させた電気掃除機を提供することを目的とする。
【課題を解決するための手段】
【０００５】
上記従来の課題を解決するために本発明は、電動送風機を内蔵した本体と、複数の孔を有する排気整流板と前記本体の外郭に設けた排気口とで構成され前記電動送風機の排気を排出する排気部とを備え、前記排気整流板を前記排気口内側に隣接して設けたもので、排気整流板に均一に開けられた複数の孔に排気を通過させることによって、排気口から排出される排気風速のバラツキを抑えることができる。排気口全体の排気風速を均一にし、分散排気することにより排気風速の低減を図り被掃除面の埃の舞い上げを抑えることができるものである。
【発明の効果】
【０００６】
本発明によれば、高い吸込み性能と排気のソフト化（排気風速を和らげる）を両立させた電気掃除機が実現できる。
【発明を実施するための最良の形態】
【０００７】
第１の発明は、電動送風機を内蔵した本体と、複数の孔を有する排気整流板と前記本体の外郭に設けた排気口とで構成され前記電動送風機の排気を排出する排気部とを備え、前記排気整流板を前記排気口内側に隣接して設けたもので、排気整流板に均一に開けられた複数の孔に排気を通過させることによって、排気口から排出される排気風速のバラツキを抑えることができる。排気口全体の排気風速を均一にし、分散排気することにより排気風速の低減を図り被掃除面の埃の舞い上げを抑えることができるものである。
【０００８】
第２の発明は、第１の発明の排気整流板の板厚を、孔径寸法よりも厚く設定することにより、排気の中に含まれる繊維質の微細塵が排気口に絡みつくのを防止することができるものである。
【０００９】
第３の発明は、第１の発明に加えて、間隔を空けて設けられた複数の排気整流板を備え、前記複数の排気整流板の内、その両端に位置する排気整流板の１つを排気口内側に隣接させ、排気上流側から下流側に移るに従って、前記複数の排気整流板に設けた孔の孔径を小さくすると共に、総開口面積は逆に大きく構成することにより、排気の段階的なソフト化を行う際に排気整流板通過に伴うロスをなくし、強力な吸込み力を維持することができるものである。
【００１０】
以下、本発明の実施の形態について、図面を参照しながら説明する。なお、この実施の形態によって本発明が限定されるものではない。
【００１１】
（実施の形態１）
本発明の第１の実施の形態について、図１〜図１０を用いて説明する。
【００１２】
図１において、電気掃除機１は延長管２に取り付けた塵埃を吸引する吸込具３を有し、前記延長管２は手元ハンドル４とホース継ぎ手５付きのホース６とを介して掃除機本体７（以下、本体７とする）に連結されている。本体７は、枢支された１個の前輪キャスター８と一対の後輪９とを備え走行自在となっている。また、本体７内は、図２に示すように、本体７の前方には集塵室１０を、後方には吸引力を発生する電動送風機１１を内臓している。電動送風機１１はサポートゴムマエ１２とサポートゴムウシロ１３によって本体７に取り付けられている。電動送風機１１の前方は集塵室１０と連通しており、電動送風機１１の吸引による吸気は、集塵室１０内に着脱自在に取り付けられた集塵袋１４が配されている。
【００１３】
上記構成による作用は、電動送風機１１の働きにより発生した吸引風は塵埃とともに前記吸込具３から吸引され、前記延長管２および前記ホース６内の吸引通路（図示せず）を通過し、本体７内の集塵袋１４より塵埃を取り除かれた後、電動送風機１１を通過し、排気となる。排気は、さらに排気中に含まれた微細な細塵をフィルター（図示せず）にて除去された後、本体７の外部へ排気口１５より排出される。
【００１４】
以下、本発明の特徴である排気部分の詳細について説明する。
【００１５】
図３は排気部分を本体７後方から見たものであり、図４は側面断面図である。また、排気整流板１６を図４におけるａ矢視から見たものを図５，６に示す。図に示すように、本体上１−１の後部に設けられた長孔形状の排気口１５の内側（排気上流側）に、排気整流板１６を隣接させて設けており、排気は排気整流板１６を通過した後排気口１５より大気に放出される構成である。前記排気整流板１６は、φ０．０５ｍｍ〜φ１ｍｍの丸孔１７を無数にかつほぼ均一に開けたものであり、その総開口面積は３０００ｍｍ2以上確保することを基本にしたものである。ここで、総開口面積については、吸込み力の低いもの例えば充電式の掃除機等においては、必ずしも３０００ｍｍ2以上確保する必要がないことは云うまでもない。
【００１６】
上記構成による作用は、排気を排気整流板１６に均一に開けられた無数の孔１７を通過させることによって、排気口１５から排出される排気風速のバラツキを抑えることができる。排気口１５全体の排気風速をほぼ均一にすることができる。このように排気を均一化（分散排気）することで排気風速の低減（局部的に風速の早い部分をなくす）を図り被掃除面の埃の舞い上げを抑制することができるものである。
【００１７】
この時、排気整流板１６に設ける孔１７形状を略円形とすることにより、排気気流の渦を最小限に抑え、かつ強度の低下を抑えることができ、図６，７に示すように隣接する３つ、あるいは４つの孔１７を均等に配置することで効率良く開口面積を確保することができるものである。
【００１８】
次に、図８に示すように排気整流板１６の厚みｔを孔径Ｄの寸法よりも厚くすることによって、本体７内（フィルター等）に滞在している微細な埃（繊維質）が排気整流板１６の孔１７に絡まりにくくする作用がある。
【００１９】
次に、排気整流板１６の材質にステンレス等の金属を用いることにより、排気整流板１６自体の薄板化が可能で内部空間を有効に活用することができ、また、本体７外郭の排気口１５より覗かれる排気整流板１６の金属調が外観品位を向上させる効果も備えている。
【００２０】
また、排気整流板１６の厚みｔを０．３ｍｍ以下にすることで、エッチング加工やエレクトロフォーミング加工等の一般的な工法にて微小孔を加工することができるものである。また、図９および図１０に示すように排気整流板１６の孔１７の開口端面１８に面取り加工１７−１を施すことで、排気が排気整流板１６に侵入・排出するときの抵抗を少なくでき、気流の渦を最小限に抑えることができるため、風きり音を低減するとともに排気整流板１６通過時のロスを低減することができる。この面取り加工も、上記エッチング加工等では容易に形成できるものであることもその特徴の一つである。
【００２１】
（実施の形態２）
次に、本発明の第２の実施の形態を図１１を用いて説明する。本実施の形態は、第１の実施の形態に対し、排気整流板１６を複数枚併用したものである。図１１は２枚の排気整流板を連結枠１９にて一体化（排気整流板１６の保持孔１６−１を連結枠１９の軸１９−１にセットし、軸を溶かし固定している）したものである。
【００２２】
上記構成による作用は、整流作用が増し、本体外に排出される排気を、よりふんわりとソフトなものにすることができるのであり、その効果は、併用した２枚の排気整流板１６において、排気上流側よりも下流側の孔径を小さくすることにより、排気を段階的に整流・ソフト化することができるものである。さらに、排気上流側よりも下流側の孔の総開口面積を大きくすることにより、排気整流板１６通過に伴うロスをなくし、強力な吸込み力を維持することができるのである。
【産業上の利用可能性】
【００２３】
以上のように、本発明にかかる電気掃除機は、高い吸込み性能と排気のソフト化（排気風速を和らげる）を両立させた電気掃除機に有用である。
【図面の簡単な説明】
【００２４】
【図１】本発明の実施の形態１における電気掃除機の全体図
【図２】本発明の実施の形態１における電気掃除機本体の断面図
【図３】同、実施の形態１における電気掃除機本体の後面図
【図４】図２の排気部の拡大図
【図５】本発明の実施の形態１における電気掃除機の排気整流板の正面図（図４のａ矢視）
【図６】図５のア部拡大図（孔形状）
【図７】図５のア部拡大図（孔形状の異配置）
【図８】図５のＡ−Ａ断面図
【図９】図５の他の例のＡ−Ａ断面図
【図１０】図５の他の例のＡ−Ａ断面図
【図１１】本発明の実施の形態２における電気掃除機の排気部の拡大断面図
【符号の説明】
【００２５】
１５  排気口
１６  排気整流板
１７  孔
１８  開口端面
【図１】
2006247094.tif 000003
【図２】
2006247094.tif 000004
【図３】
2006247094.tif 000005
【図４】
2006247094.tif 000006
【図５】
2006247094.tif 000007
【図６】
2006247094.tif 000008
【図７】
2006247094.tif 000009
【図８】
2006247094.tif 000010
【図９】
2006247094.tif 000011
【図１０】
2006247094.tif 000012
【図１１】
2006247094.tif 000013